(57)【特許請求の範囲】
【請求項１】
釣針状の吊り下げ部，略へ字状の肩掛け部および直線状の掛け部の各ハンガー構成要素からなり、当該各ハンガー構成要素はそれぞれ、異なる組み合わせで一体化されることにより各種形態のハンガーを形成するための係合部を有している、ハンガー用パーツであって、
前記吊り下げ部は、その下側部分に第１の前記係合部を有し、
前記肩掛け部は、その中央部分に第２の前記係合部を有するとともに、その両端側部分に第３の前記係合部を有し、
前記掛け部は、その両端側部分に第４の前記係合部を有するとともに、当該第４の前記係合部同士の間に第５の前記係合部を有している、
ことを特徴とするハンガー用パーツ。
【請求項２】
前記第１乃至前記第３の前記係合部はそれぞれ横方向の孔部であり、
前記第４および第５の前記係合部はそれぞれ縦横方向の孔部であり、
前記孔部同士を一体化するための係止部品を備えている、
ことを特徴とする請求項１記載のハンガー用パーツ。
【請求項３】
前記吊り下げ部は、幅狭のものを掛けるための溝状部を有している、
ことを特徴とする請求項１記載のハンガー用パーツ。
【発明の詳細な説明】
【０００１】
【発明の属する技術分野】
本発明は、ハンガー用パーツに関し、特に釣針状の吊り下げ部、略へ字状の肩掛け部や直線状の掛け部などのハンガー構成要素からなる紙製のものであって、それらを組み合わせることにより各種形態のハンガーを作成できるようにしたものである。
【０００２】
なお、本明細書では、従来の一般的形状からなるハンガーの、
・ハンガー自体をハンガーフックやハンガーポールなどに吊り下げるときに使用される部分を「吊り下げ部」と表現し、
・洋服、ネクタイや小物などの各種の品物を掛けたり、吊ったりするときに使用される部分を「肩掛け部」や「掛け部」などと表現している。
【０００３】
【従来の技術】
従来、ハンガーは、木材や金属などを用いて、その構成部分である釣針状の吊り下げ部、略へ字状の肩掛け部や直線状の掛け部などを最初から一体化した形で作成されている。
【０００４】
【発明が解決しようとする課題】
このような構成からなる従来のハンガーは、
▲１▼それぞれの形態がある程度、標準化されて略一定のものとなっているので、そこに掛けることができる品物の種別や個数などにも制約が生じやすい、
▲２▼ハンガーの各構成部分をパーツ化していないので、ハンガーの一部のみ、例えば吊り下げ部のみが損傷したときにその部分だけを取り替えて再使用するといったことができない、
▲３▼木材や金属などの材質を用いているので、ハンガーに掛けられる品物や、ハンガーの利用者などを傷つけやすい、
などの問題点があった。
【０００５】
そこで、本発明では、ハンガーを構成する釣針状の吊り下げ部、略へ字状の肩掛け部や直線状の掛け部などの各ハンガー構成要素をパーツ化し、さらにはこれらを紙製のものとすることにより、多様な形態のハンガーの生成やハンガーのリサイクル使用を可能とするとともに、製造コストを下げ、非使用時のハンガーの保管を効率的に行ない、また製品の安全性を高めることを目的とする。
【０００６】
【課題を解決するための手段】
これを達成するため、本発明では次の構成からなるハンガー用パーツを用いる。
（１）釣針状の吊り下げ部，略へ字状の肩掛け部および直線状の掛け部の各ハンガー構成要素からなり、当該各ハンガー構成要素はそれぞれ、異なる組み合わせで一体化されることにより各種形態のハンガーを形成するための係合部を有している、ハンガー用パーツであって、
前記吊り下げ部は、その下側部分に第１の前記係合部を有し、
前記肩掛け部は、その中央部分に第２の前記係合部を有するとともに、その両端側部分に第３の前記係合部を有し、
前記掛け部は、その両端側部分に第４の前記係合部を有するとともに、当該第４の前記係合部同士の間に第５の前記係合部を有する。
（２）上記（１）において、
前記第１乃至前記第３の前記係合部はそれぞれ横方向の孔部であり、
前記第４および第５の前記係合部はそれぞれ縦横方向の孔部であり、
前記孔部同士を一体化するための係止部品を備えている。
（３）上記（１）において、
前記吊り下げ部は、幅狭のものを掛けるための溝状部を有している。
【０００７】
利用者は、このようなハンガー用パーツを組み合わせて各種形態のハンガーを作成することができ、また、釣針状の吊り下げ部を単独で例えばネクタイ掛けとして使用することもできる。
【０００８】
ハンガー用パーツを組み合わせた形態のハンガーの一部が損傷したときには、その損傷部分のハンガー用パーツだけを新たなものと取り替えれば残りの良好部分をそのまま継続して使用することができる。
【０００９】
組み合わせ形態のハンガーで使用しないものが多数あるときなどには、それぞれを各ハンガー用パーツに分離してから保管することにより、収納スペースの有効利用を図ることができる。
【００１０】
【発明の実施の形態】
以下、図１乃至図１９を参照して本発明の実施の態様を説明する。
各図において、
１および１′は、釣針状の吊り下げ部
２および２′は、略へ字状の肩掛け部
３および３′は、直線状の掛け部
４および５は、逆凹状の切欠き環状部
４ａおよび５ａは、各切欠き環状部に形成した取付け用凹部
４ｂおよび５ｂは、各切欠き環状部に形成した把持用端部
６および７は、吊り下げ部１、１′に形成した横方向の孔部
８は、吊り下げ部１、１′に形成した溝状部
９〜１２は、肩掛け部２、２′に形成した横方向の孔部
１３は、掛け部３に掛けたズボンなどがずり落ちることを防止するための三角波状部
１４〜１６は、掛け部３、３′に形成した縦横方向の孔部
１７は、対応する孔部同士を組み合わせて一体化するための係止部品
１７ａは、係止部品に形成した係止用凹部
をそれぞれ示している。
【００１１】
ここで、１〜５の部分のそれぞれが、さらには係止部品１７のそれぞれが、すなわちこれらの集合体ではなく個々のものがハンガー構成要素（ハンガー用パーツ）に相当する。
【００１２】
また、当該ハンガー構成要素は紙製のもので、それぞれの形態は、
▲１▼厚紙を用いたもの
▲２▼複数の薄紙を接着剤で貼り合わせたもの
などとなっている。
【００１３】
ハンガー構成要素同士を組み合わせて一体化するための手段としては、図示のように、孔部と係止部品との係合手段に限定されるものではなく、例えば、
▲１▼接着剤を用いて両者を一体化する、
▲２▼マジックテープを用いて両者を一体化する、
▲３▼ゴムヒモ、輪ゴム、ビニール紐を用いて両者を結束する、
▲４▼ハンガー要素部分に係止部およひ被係止部を形成しておき、これらを互いに引っ掛けることにより両者を一体化する、
などの手法を用いてもよい。
【００１４】
このように、ハンガー構成要素自体の作成やハンガー構成要素同士の組合せの際に接着剤を使うこともあり、当該接着剤として防炎性や防虫性のものを用いればハンガー自体に防炎機能や防虫機能を持たせることができる。
【００１５】
図１は、ハンガー用パーツの全体概要を示す説明図であり、後述のように、これらのハンガー用パーツを適宜組み合わせることにより各種形態のハンガーを作成することができる。
【００１６】
なお、吊り下げ部１はこれ単体でもハンガーとなり、このとき、溝状部８には例えばネクタイやベルトなどのような幅狭のものを掛けることができる（図１９参照）。
【００１７】
また、略へ字状の肩掛け部２は、これ単体で、簡易玩具のブーメランとしての使用も可能である。
【００１８】
図２は、組合せ形態のハンガー（その１）を示す説明図であり、釣針状の吊り下げ部１と略へ字状の肩掛け部２の各ハンガー用パーツを２個の係止部品１７で組み合わせた形になっている。
【００１９】
吊り下げ部１と肩掛け部２の組み合わせの際には、
▲１▼吊り下げ部１の孔部６と肩掛け部２の孔部１０との位置を合わせてから当該孔部に一方の係止部品１７を嵌めるとともに、
▲２▼吊り下げ部１の孔部７と肩掛け部２の孔部１１との位置を合わせてから当該孔部に他方の係止部品１８を嵌めている。
【００２０】
なお、各係止部品１７を孔部６、７、９〜１２、１４〜１６に対して図１に示すような位置関係できつく押し込むと、当該係止部品は、その幅狭の係止用凹部１７ａに続く部分の端部が各孔部の左右両側の内周面に接触し、一時的に縮んだような状態となって当該内周面を通過していく。
【００２１】
そして、この左右両側の内周面に係止用凹部１７ａが対向する位置まで係止部品１７を移動させると、該当のハンガー構成要素同士は当該係止部品の作用によって結合する。各係止部品１７のこのような結合法は以下の組合せ形態の各ハンガーにおいても同様である。
【００２２】
図３は、組合せ形態のハンガー（その２）を示す説明図であり、釣針状の吊り下げ部１、略へ字状の肩掛け部２、および直線状の掛け部３の各ハンガー用パーツを４個の係止部品１７で、三角波状部１３が上側となるように組み合わせた形になっている。
【００２３】
直線状の掛け部３をその三角波状部１３が上側となるような形で用いることにより、この三角波状部に掛けたズボン、スカートやネクタイなどがずり落ちるのを防止することができる。上側に設定された三角波状部１３がこのような防止機能を有することは以下の組合せ形態の各ハンガーにおいても同様である。
【００２４】
図４は、組合せ形態のハンガー（その３）を示す説明図であり、図３のハンガーにおける直線状の掛け部３を上下逆にして、そこにに逆凹状の切欠き環状部４、５を取りつけた形になっている。なお、切欠き環状部４、５の掛け部３への取り付けは、各切欠き環状部の取付け用凹部４ａおよび５ａを掛け部３の上縁部分に嵌めることにより行なう。
【００２５】
この切欠き環状部４、５の利用法としては、それぞれの把持用端部４ｂおよび５ｂに例えばスカート、ズボンやスカーフなどを挟み込んで吊り下げることなどがある。切欠き環状部４、５のこのような取り付け法および利用法は以下の組合せ形態の各ハンガーにおいても同様である。
【００２６】
図５は、組合せ形態のハンガー（その４）を示す説明図であり、釣針状の吊り下げ部１および直線状の掛け部３の各ハンガー用パーツを１個の係止部品１７で組み合わせ、かつ、掛け部３に逆凹状の切欠き環状部４、５を取りつけた形になっている。
【００２７】
図６は、組合せ形態のハンガー（その５）を示す説明図であり、釣針状の吊り下げ部１および略へ字状の肩掛け部２の各ハンガー用パーツを２個の係止部品１７で組み合わせ、かつ、掛け部３に逆凹状の切欠き環状部４、５を取りつけた形になっている。
【００２８】
図７は、組合せ形態のハンガー（その６）を示す説明図であり、釣針状の吊り下げ部１および直線状の掛け部３の各ハンガー用パーツを１個の係止部品１７で、三角波状部１３が上側となるように組み合わせた形になっている。
【００２９】
図８は、組合せ形態のハンガー（その７）を示す説明図であり、釣針状の吊り下げ部１および略へ字状の肩掛け部２′の各ハンガー用パーツを２個の係止部品１７で、肩掛け部２′が上下逆となるように組み合わせた形になっている。
【００３０】
本来の上下位置とは逆の位置関係で組み合わせた肩掛け部２′はその端部分に例えば靴や袋物などが掛けられるれるといった機能を持つことになる。上下を逆にした肩掛け部２′がこのような機能を有することは以下の組合せ形態の各ハンガーにおいても同様である。
【００３１】
図９は、組合せ形態のハンガー（その８）を示す説明図であり、３個の釣針状の吊り下げ部１、１′および１個の直線状の掛け部３の各ハンガー用パーツを、３個の係止部品１７で組み合わせた形になっている。
【００３２】
この場合、掛け部３の中央孔部１５には吊り下げ部１を本来の上下関係で組み合わせ、また掛け部３の両端孔部１４、１６には吊り下げ部１′をそれぞれ上下逆の状態で組み合わせている。
【００３３】
本来の上下位置とは逆の位置関係で組み合わせた吊り下げ部１′はそこに各種のものが掛けられるといった機能を持つことになり、この吊り下げ部１′には例えば衣料、小物、袋物、温度計やプランタなどを引っ掛けて吊り下げることができる。上下を逆にした吊り下げ部１′がこのような機能を有することは以下の組合せ形態の各ハンガーにおいても同様である。
【００３４】
図１０は、組合せ形態のハンガー（その９）を示す説明図であり、２個の釣針状の吊り下げ部１、１′を２個の係止部品１７で、吊り下げ部１′の上下が逆になるように組み合わせた形になっている。
【００３５】
図１１は、組合せ形態のハンガー（その１０）を示す説明図であり、１個の釣針状の吊り下げ部１、１個の略へ字状の肩掛け部２、および２個の直線状の掛け部３、３′の各ハンガー用パーツを３個の係止部品１７で組み合わせ、かつ、掛け部３に逆凹状の切欠き環状部４、５を取りつけた形になっている。
【００３６】
この場合、縦に配置した掛け部３′の、
・上側孔部には吊り下げ部１を組み合わせ、
・中央孔部には肩掛け部２を組み合わせ、
・下側孔部には掛け部３を組み合わせている。
【００３７】
縦に配置した掛け部３′は、肩掛け部２や掛け部３に対して吊り下げ部１を高い位置に設定するといった機能を持つことになる。縦に配置した掛け部３′がこのような機能を有することは以下の組合せ形態の各ハンガーにおいても同様である。
【００３８】
図１２は、組合せ形態のハンガー（その１１）を示す説明図であり、図１１のハンガーにおける肩掛け部２および掛け部３の上下関係を逆にした形になっている。
【００３９】
図１３は、組合せ形態のハンガー（その１２）を示す説明図であり、図１１のハンガーにおける肩掛け部２を省略した形になっている。
【００４０】
図１４は、組合せ形態のハンガー（その１３）を示す説明図であり、図１２のハンガーにおける掛け部３、および切欠き環状部４、５を省略した形になっている。
【００４１】
図１５は、組合せ形態のハンガー（その１４）を示す説明図であり、図１４の略へ字状の肩掛け部２を上下逆にした形になっいる。
【００４２】
図１６は、組合せ形態のハンガー（その１５）を示す説明図であり、１個の釣針状の吊り下げ部１、および４個の直線状の掛け部３、３′の各ハンガー用パーツを３個の係止部品１７で組み合わせ、かつ、掛け部３のそれぞれに逆凹状の切欠き環状部４、５を取りつけた形になっている。
【００４３】
この場合、縦に配置した掛け部３′の各孔部１４〜１６に残りの３個の掛け部３を個々に組み合わせている。
【００４４】
図１７は、組合せ形態のハンガー（その１６）を示す説明図であり、２個の釣針状の吊り下げ部１、１′および１個の直線状の掛け部３′の各ハンガー用パーツを２個の係止部品１７で組み合わせた形になっている。
【００４５】
この場合、縦に配置した掛け部３′の上側孔部には吊り下げ部１を本来の上下関係で組み合わせ、また当該掛け部３′の下側孔部には吊り下げ部１′を上下逆の状態で組み合わせている。
【００４６】
図１８は、組合せ形態のハンガー（その１７）を示す説明図であり、図１７のハンガーにおける吊り下げ部１を省略した形になっている。
【００４７】
この場合、縦に配置した掛け部３′の上側孔部や中央孔部を吊り下げ部１の代わりとして用いることになる。
【００４８】
図１９は、単独形態のハンガーを示す説明図であり、釣針状の吊り下げ部１のみをハンガーとして用い、当該吊り下げ部には、ネクタイ、ひも、パンテイストッキングやベルトなどのように比較的、幅狭のものを吊り下げるための溝状部８を形成している。
【００４９】
釣針状の吊り下げ部、略へ字状の肩掛け部、および直線状の掛け部の各ハンガー構成要素を用いてハンガーを作成するときの組合せパタ−ンは図示のものに限定されず、図示以外の種々のハンガー形状を取りえることは勿論である。
【００５０】
【発明の効果】
本発明は、このように、ハンガーを構成する釣針状の吊り下げ部、略へ字状の肩掛け部や直線状の掛け部などの各ハンガー構成要素をパーツ化し、さらにはこれらを紙製のものとしているので、多様な形態のハンガーの生成やハンガーのリサイクル使用を可能とするとともに、製造コストを下げ、非使用時のハンガーの保管を効率的に行ない、また製品の安全性を高めることができる。
【図面の簡単な説明】
【図１】本発明の、ハンガー用パーツの全体概要を示す説明図である。
【図２】本発明の、組合せ形態のハンガー（その１）を示す説明図である。
【図３】本発明の、組合せ形態のハンガー（その２）を示す説明図である。
【図４】本発明の、組合せ形態のハンガー（その３）を示す説明図である。
【図５】本発明の、組合せ形態のハンガー（その４）を示す説明図である。
【図６】本発明の、組合せ形態のハンガー（その５）を示す説明図である。
【図７】本発明の、組合せ形態のハンガー（その６）を示す説明図である。
【図８】本発明の、組合せ形態のハンガー（その７）を示す説明図である。
【図９】本発明の、組合せ形態のハンガー（その８）を示す説明図である。
【図１０】本発明の、組合せ形態のハンガー（その９）を示す説明図である。
【図１１】本発明の、組合せ形態のハンガー（その１０）を示す説明図である。
【図１２】本発明の、組合せ形態のハンガー（その１１）を示す説明図である。
【図１３】本発明の、組合せ形態のハンガー（その１２）を示す説明図である。
【図１４】本発明の、組合せ形態のハンガー（その１３）を示す説明図である。
【図１５】本発明の、組合せ形態のハンガー（その１４）を示す説明図である。
【図１６】本発明の、組合せ形態のハンガー（その１５）を示す説明図である。
【図１７】本発明の、組合せ形態のハンガー（その１６）を示す説明図である。
【図１８】本発明の、組合せ形態のハンガー（その１７）を示す説明図である。
【図１９】本発明の、単独形態のハンガーを示す説明図である。
【符号の説明】
１、１′・・・釣針状の吊り下げ部
２、２′・・・略へ字状の肩掛け部
３、３′・・・直線状の掛け部
４、５・・・・逆凹状の切欠き環状部
４ａ、５ａ・・取付け用凹部
４ｂ、５ｂ・・把持用端部
６、７・・・・横方向の孔部
８・・・・・・溝状部
９〜１２・・・横方向の孔部
１３・・・・・三角波状部
１４〜１６・・縦横方向の孔部
１７・・・・・係止部品
１７ａ・・・・係止用凹部
【図１】
0003970365.tif 000002
【図２】
0003970365.tif 000003
【図３】
0003970365.tif 000004
【図４】
0003970365.tif 000005
【図５】
0003970365.tif 000006
【図６】
0003970365.tif 000007
【図７】
0003970365.tif 000008
【図８】
0003970365.tif 000009
【図９】
0003970365.tif 000010
【図１０】
0003970365.tif 000011
【図１１】
0003970365.tif 000012
【図１２】
0003970365.tif 000013
【図１３】
0003970365.tif 000014
【図１４】
0003970365.tif 000015
【図１５】
0003970365.tif 000016
【図１６】
0003970365.tif 000017
【図１７】
0003970365.tif 000018
【図１８】
0003970365.tif 000019
【図１９】
0003970365.tif 000020